(57)【特許請求の範囲】
【請求項１】
柄の前方に延びる刃取付け構造に、カミソリ刃が刃先縁を覗かせて柄の長手方向に取り付けられているカミソリであって、プラスチックで構成された刃取付け構造の少なくとも一方の側面に、金属板以外で構成された鏡面部が設けられていることを特徴とするカミソリ。
【請求項２】
鏡面部が刃取付け構造の一方の側面と他方の側面に設けられている請求項１記載のカミソリ。
【請求項３】
鏡面部が刃取付け構造の一方の側面から背面を経由して他方の側面まで連続するように設けられている請求項２記載のカミソリ。
【請求項４】
カミソリ刃の刃先縁を所定の間隔で露出させる透孔と前記刃先縁を所定の間隔で覆う被覆部とが交互に並ぶガードシートが装着され、カミソリ刃の少なくとも一方の側を覆っているガードシートに前記透孔とは別に複数の貫通した小孔が設けられており、該小孔からカミソリ刃の表面が露出している請求項１乃至請求項３のいずれか一項記載のカミソリ。
【請求項５】
小孔は刃取付け構造の下縁と被覆部との間に設けられている請求項４記載のカミソリ。
【発明の詳細な説明】
【技術分野】
【０００１】
本発明は、主に一般家庭で使用されるカミソリに関する。
【背景技術】
【０００２】
カミソリ刃が柄に対して横方向に取り付けられているカミソリ、いわゆるＴ型カミソリに反射板を取り付けたものは提案されている。反射板を取り付けることにより、ひげを剃るときに暗部となる剃りにくい部分である喉や顎などに光線を当てて、暗部のひげ剃りを容易にしようとするものである。このＴ型カミソリは、柄の上端にカミソリ刃を有するカミソリヘッドが横方向に取り付けられており、反射板はカミソリヘッドよりも下方に取り付けられている。Ｔ型カミソリの使用時にＴ型カミソリの顔に向く側を前側とすると、反射板は前側を向いている。Ｔ型カミソリで喉や顎を剃るときはＴ型カミソリの上下を逆にして使用する。そのため、Ｔ型カミソリの前側は上を向くから、反射板も上を向く。浴室や洗面台の照明は上から下に向かって照らしているので、その光線が上を向いている反射板に反射して喉や顎を明るく照らすのである。
【０００３】
女性は、一般的にひげ剃りをしないから男性が使用するＴ型カミソリを使用しない。その代わりに、眉毛やうぶ毛を剃るときに、カミソリ刃が柄の長手方向に取り付けられているカミソリ、いわゆる長柄カミソリを使用する。長柄カミソリを使用する浴室や洗面台では、照明は鏡の上側に取り付けられている。したがって、浴室や洗面台の鏡に向かったときに、照明は顔の前方で顔よりも上方から顔を照らす。例えば眉毛を剃るときは、眉毛が前方を向いているので照明からの光線が眉毛を正面から照らし、その付近が暗いということはない。
【０００４】
化粧をする場合、化粧の前にうぶ毛を剃ると化粧のりが良くなるので、頬のほぼ全体のうぶ毛を剃ることが好ましい。頬は顔の鼻と口との両側から耳に至るまでの部分であり、それらの部分に長柄カミソリを宛がってうぶ毛を剃る。鼻と口の両側付近が顔の正面であり、耳に近い部分が顔の側面である。うぶ毛を剃るときに顔の正面が鏡を向くから、うぶ毛の生えている顔の側面は鏡の方向を向かない。そのために、照明から発せられた光線は顔の側面に垂直に当たらず、非常に小さい角度あるいはほぼ平行に当たる。これにより、皮膚の単位面積当たりの光量が非常に小さくなるので顔の側面は顔の正面に比べて暗くなるのである。少しでも明るくしようとして首を回すのであるが、あまり大きく回すと目が横を向くから鏡が見にくくなり、長柄カミソリが使いづらくなる。したがって、首を回すにしてもその角度を大きくすることができないから、顔の側面は依然として暗いのである。したがって、顔の側面のうぶ毛や皮膚の状態を把握しづらいのである。
【０００５】
また、従来の長柄カミソリには、刃取付け構造がＵ字形に曲げられた金属製の挟着板を有し、カミソリ刃が２つのプラスチックの挟着板で挟着され、このプラスチックの挟着板に上から金属製の挟着板でカミソリ刃を強固に固定したものが存在している。この金属製の挟着板は刃取付け構造の最も外側の部分であるから、刃取付け構造の両側面と背面は金属板が露出している。したがって、この金属製の挟着板も光線を反射するのである。しかし、金属板が露出していると使用者に冷たい感じを与える。本発明の需要者のほとんどは若い女性であるから、長柄カミソリは冷たい感じを与えることがないプラスチックで構成されていることが望ましい。また、従来の金属製の挟着板を用いるときは、その挟着板の挟着力でカミソリ刃を固定するので、挟着板の厚みは強い弾性力を生じるように一定の厚みが必要である。そのために、金属製の挟着板はプラスチックに比べて重さが増すので長柄カミソリが重くなる。さらに、金属製の挟着板を用いると長柄カミソリの重心が前側に寄るので、それを修正するために柄を重くせざるを得ず、長柄カミソリ全体の重さが増すのである。使用者である女性にとって、長柄カミソリは軽い方が使用しやすいから、金属製の挟着板を用いない長柄カミソリをすることが望ましい。
【先行技術文献】
【特許文献】
【０００６】
【特許文献１】特開２００４−２３０１２０号公報
【特許文献２】実開昭５４−５８４９０号公報
【発明の概要】
【発明が解決しようとする課題】
【０００７】
長柄カミソリの刃取付け構造の側面が金属板でなく、したがって金属から受ける冷たい感じを生じず、金属板を用いたときの重さよりも重量が軽く、且つ光線を反射して皮膚を照らす長柄カミソリを提供する。
【課題を解決するための手段】
【０００８】
本発明の請求項１は、柄の前方に延びる刃取付け構造に、カミソリ刃が刃先縁を覗かせて柄の長手方向に取り付けられているカミソリであって、プラスチックで構成された刃取付け構造の少なくとも一方の側面に、金属板以外で構成された鏡面部が設けられている構成である。
【０００９】
請求項２は、鏡面部が刃取付け構造の一方の側面と他方の側面に設けられている構成である。
【００１０】
請求項３は、鏡面部が刃取付け構造の一方の側面から背面を経由して他方の側面まで連続するように設けられている構成である。
【００１１】
請求項４は、カミソリ刃の刃先縁を所定の間隔で露出させる透孔と前記刃先縁を所定の間隔で覆う被覆部とが交互に並ぶガードシートが装着され、カミソリ刃の少なくとも一方の側を覆っているガードシートに透孔とは別に複数の貫通した小孔が設けられており、それらの小孔からカミソリ刃の表面が露出している構成である。
【００１２】
請求項５は、小孔が刃取付け構造の下縁と被覆部との間に設けられている構成である。
【発明の効果】
【００１３】
請求項１は、長柄カミソリのプラスチックで構成された刃取付け構造の少なくとも一方の側面に、金属板以外で構成された鏡面部が設けられている。顔の側面のうぶ毛を剃るときは、カミソリ刃の刃先縁を下方に向けて、カミソリ刃が皮膚にやや斜めに当たるように長柄カミソリ自体をやや斜めにして使用する。顔の正面は鏡を向いたままでよく、やや首を回してもよい。このとき、刃取付け構造の皮膚と対向している面に鏡面部が設けられていれば、使用者の前側の斜め上方から発せられた光線は、鏡面部に反射して皮膚を照らす。光線は、カミソリ刃の刃先縁を皮膚に宛がってうぶ毛を剃っているときに鏡面部に反射して皮膚を照らすのみならず、うぶ毛を剃るためにカミソリ刃の刃先縁を皮膚に近づけた場合でも皮膚を照らす。刃先縁を皮膚に近づけたときは、皮膚と刃先縁の間を通過した光線が刃先縁よりも下方の皮膚も照らすので、これから剃ろうとするうぶ毛や皮膚の状態も把握できる。このように本発明は、うぶ毛剃りの最中でも、うぶ毛剃りを行う直前でも皮膚を明るくすることができる。そして、鏡面部が金属板以外で構成されているので、金属から受ける冷たい感じを生じず、金属板を用いたときの重さよりもカミソリ全体の重量を軽くすることができる。ここで、金属板とはある程度の厚みを有していて金属で形成された板としての性質を発揮する板を言う。すなわち、ある程度の強度と弾性を有し、簡単に曲げることができないなどの性質である。したがって、強度や弾性がきわめて小さい金属箔とは区別される。
【００１４】
請求項２は、鏡面部が刃取付け構造の一方の側面と他方の側面に設けられているので、顔の両側面を剃るときのいずれの場合も皮膚を明るく照らすことができる。
【００１５】
請求項３は、鏡面部が刃取付け構造の一方の側面から背面を経由して他方の側面まで連続するように設けられている。鏡面部は、刃取付け構造の表面を鏡面加工するのみならず、例えば、鏡面シートを貼り付けることによっても設けることができる。１枚の鏡面シートを一方の側面から他方の側面に亘って貼り付けることによって、１枚の鏡面シートで刃取付け構造の２つの側面に鏡面部を設けることができる。
【００１６】
請求項４は、カミソリ刃の刃先縁を所定の間隔で露出させる透孔と刃先縁を所定の間隔で覆う被覆部とが交互に並ぶガードシートが装着され、カミソリ刃の少なくとも一方の側を覆っているガードシートに透孔とは別に複数の貫通した小孔が設けられており、それらの小孔からカミソリ刃の表面が露出している。ガードシートの被覆部で刃先縁を所定の間隔で覆うことにより、皮膚を傷つけにくくし肌触りを良くすることができる。また、ガードシートは評判が良いので、それが装着されているものであることを強調するために着色されている。カミソリ刃の表面も光線を反射させる性質を有しているが、ガードシートで覆われると光線が反射されない。したがって、小孔を設けることによってカミソリ刃の表面の露出が増加し、皮膚を照らす光線の光量を増やしてより明るくすることができる。
【００１７】
請求項５は、小孔が刃取付け構造の下縁と被覆部との間に設けられている。仮に、小孔が刃取付け構造の下縁と透孔との間に設けられていると、小孔と透孔との間のガードシートの幅が非常に狭くなって、その部分が切断する虞がある。小孔を透孔の端部からずらして刃取付け構造の下縁と被覆部との間に設けることにより、小孔と透孔との間のガードシートの幅を大きくすることができるので、その部分が切断する虞がない。
【図面の簡単な説明】
【００１８】
【図１】図１は本発明のカミソリ刃が取り付けられている部分の拡大図である。
【図２】図２は図１におけるＡ−Ａ拡大断面図である。
【図３】図３は本発明の全体図である。
【図４】図４はガードシートの全体図である。
【図５】図５はガードシートを装着したカミソリ刃の全体図である。
【発明を実施するための形態】
【００１９】
次に、本発明の実施態様について説明する。長柄カミソリ１は、プラスチックの細長い柄２の前方に刃取付け構造３が延び、この刃取付け構造３にカミソリ刃４が刃先縁５を一定間隔で覗かせて取り付けられている。ここで、刃取付け構造とは、柄２の前方にカミソリ刃４を取り付けるために不可欠な構造を言う。したがって、従来の金属製の挟着板はカミソリ刃を挟着して固定するためのものであるから、刃取付け構造に含まれる。
【００２０】
刃取付け構造３は、カミソリ刃４を両側から挟着する２つの挟着部６，７で構成されている。一方の挟着部６は、柄２と一体にプラスチックで形成されている。他方の挟着部７は、柄２とは別体にプラスチックで板状に形成されている。カミソリ刃４はこれらの挟着部６，７の間に挟着固定されている。挟着部６，７同士は溶着により結合されているが、これ以外の結合方法、例えば一方に設けた突起を他方に設けた穴に嵌合する方法などでもよい。カミソリ刃４にはガードシート８が取り付けられていてその部分の厚みが大きいので、その部分を挟着するための空間９が両挟着部６，７の間に設けられている。
【００２１】
刃取付け構造３の挟着部６，７の表面には鏡面シート１０が設けられている。この鏡面シート１０が鏡面部である。鏡面シート１０は光線を反射する鏡面を有している。鏡面シート１０はカミソリ刃４を取り付けるために不可欠な構造ではないから刃取付け構造３には含まれない。鏡面シート１０は四隅を弧状とした矩形をなしている。鏡面シート１０は図２に示すように、刃取付け構造３の一方の側面から背面を経由して他方の側面に亘って逆Ｕ字形に連続するように貼り付けられている。また、刃取付け構造３の表面に鏡面シート１０を貼り付けるためのへこみ１１が形成されている。これにより、刃取付け構造３の表面と鏡面シート１０との間で段差を生じない。鏡面シート１０は、透明なＰＥＴ樹脂で形成されており、厚みは約２５μｍで、その一方の面にアルミニウムの蒸着層が形成され、さらにその表面に粘着層が形成されている。ＰＥＴ樹脂の他方の面には印刷によってピンク色、金色あるいは青色などの極薄の着色層が形成され、その表面に傷を防止するための樹脂皮膜層が形成されている。鏡面シート１０は粘着層によって刃取付け構造３の表面に貼り付けられている。鏡面シート１０は、その下縁１６が刃取付け構造３の下縁１５からやや距離を置いて貼り付けられている。鏡面シート１０の下縁１６を刃取付け構造３の下縁１５に沿うように近づけることにより、鏡面シート１０から反射する光量が増加するので、このような構成にすることは好ましい。
【００２２】
カミソリ刃４には、その刃先縁５を一定間隔で露出させるためのガードシート８が装着されている。図４に示すように、展開されたガードシート８の中央長手方向に沿って楕円形の透孔１２が一列に並ぶように設けられており、このガードシート８が二つ折りにされてカミソリ刃４に取り付けられる。各透孔１２の間に透孔１２よりも幅（図４における横方向の長さ）の小さな被覆部１３が形成されている。また、一列に並ぶ透孔１２の図４における上下両側に、小孔１４がそれぞれ一列に並ぶように設けられている。したがって、このガードシート８がカミソリ刃４に装着されたときに、小孔１４の列はカミソリ刃４の双方の面でそれぞれ長柄カミソリ１の長手方向に沿って一列ずつ見える。長柄カミソリ１の長手方向に沿って一列に並ぶ透孔１２と小孔１４のピッチは等しく、且つそれらは半ピッチずつずれている。また、小孔１４と被覆部１３のピッチは等しく、それらは長柄カミソリ１の長手方向に関しずれることなく位置が一致している。透孔１２と被覆部１３と小孔１４をこのような配列でガードシート８に設けたので、ガードシート８の破断の虞をなくしてそれらの機能を発揮させやすい。ガードシート８は薄いステンレス板を基板として形成されており、その一方の表面にアイオノマー層が形成されている。ステンレス板の厚みは約５０μｍであり、アイオノマー層の厚みは約３５μｍである。ステンレス板の他方の表面に印刷によってピンク色、黄色あるいは白色などの着色層が形成され、さらにその表面にＰＥＴ樹脂層が形成されている。ＰＥＴ樹脂層の厚みは約１２μｍである。アイオノマー層を加熱することで、このアイオノマー層を介してガードシート８がカミソリ刃４の表面に接着される。ガードシート８の横方向の最大長さは約３０．８ｍｍであり、縦方向の最大長さは約７ｍｍである。透孔１２の横方向の長さは約１ｍｍであり、縦方向の長さは約１．５ｍｍである。小孔１４は円形に形成され、その直径は約０．５ｍｍである。隣接する２つの小孔１４の中心間の距離は約１．２ｍｍである。被覆部１３の最小幅は約０．２ｍｍである。透孔１２の形状は楕円形に限定されるものでなく、例えば長方形や真円などでもよい。また、小孔１４の形状は円形に限定されるものでなく、例えば菱形などでもよい。
【００２３】
図１に示すように、透孔１２及び小孔１４の一部は刃取付け構造３の中に隠れているが、刃取付け構造３の下縁１５よりも下側の小孔１４はすべて露出している。小孔１４は、カミソリ刃４の金属面の露出を増加させて、より多くの光線を反射して皮膚を明るく照らすことが目的であるから、小孔１４を設ける代わりに透孔１２をその楕円形の長さ方向に伸ばせば同じ目的を達成することができる。しかし、このようにすると、うぶ毛剃りのために皮膚に塗ったクリームが、刃先縁５と被覆部１３の境に生じる隙間から刃先縁５の下側を通って露出した金属面を満遍なく覆うので、照明からの光線を十分に反射できない。小孔１４を設けることにより、クリームは透孔１２から露出した金属面を覆うが、ガードシート８に遮られて小孔１４まで伝っていかないので小孔１４はクリームに覆われることなく光線を反射するのである。
【００２４】
なお、本発明は前述した構成に基づいて種々の態様をとることが可能である。例えば、鏡面部である鏡面シート１０は前述した構成に限定されるものでなく、光線を鏡のように反射できるのであれば他の樹脂を用いたり他の材料を蒸着したりするものでもよい。また、鏡面部は別体の鏡面シート１０でなく、刃取付け構造３の表面に直接鏡面加工するものであってもよい。この場合、通常はアルミニウムを蒸着し、表面に傷を防止するための樹脂皮膜層を形成して鏡面部とする。鏡面部は刃取付け構造３の一方の側面に設けるだけでもよく、両側面に別々に設けてもよい。また、両側面の鏡面部が異なる色であってもよい。長柄カミソリ１の長さ方向の鏡面部の長さは露出しているカミソリ刃４の長さとほぼ等しいが、これに限定されるものではない。
【産業上の利用可能性】
【００２５】
うぶ毛剃りをするときに、顔の側面を明るく照らすことができて、且つ金属製の挟着板を用いないので使用者に冷たい感じを与えず、カミソリ全体の重量を金属板を用いたときよりも軽くすることができる。
【符号の説明】
【００２６】
１  長柄カミソリ、      ２  柄、      ３  刃取付け構造、      ４  カミソリ刃、      ５  刃先縁、      ６  挟着部、      ７  挟着部、      ８  ガードシート、      ９  空間、      １０  鏡面シート、      １１  へこみ、      １２  透孔、      １３  被覆部、      １４  小孔、      １５  刃取付け構造の下縁、      １６  鏡面シートの下縁
【図１】
0005669187.tif 000002
【図２】
0005669187.tif 000003
【図３】
0005669187.tif 000004
【図４】
0005669187.tif 000005
【図５】
0005669187.tif 000006